(57)【要約】【課題】レンズ付きフイルムユニットにおいて、写真フイルムの誤装填及び詰替を防止する。【解決手段】巻上げノブ１０の係合軸２８は、市販されている一般のフイルムカートリッジのスプールに比べて細く、かつキーが形成されておらず、ギア状の係合歯２８ａが形成され、ＩＳＯ１００用のフイルムカートリッジ１４専用になっている。フイルムカートリッジ１４のスプール３１の係合穴３３には、係合歯２８ａと係合する歯列３３ａが形成されている。製造時に別のフイルム感度のフイルムカートリッジをカートリッジ室２１に収納しようとしても、係合軸２８がスプールの係合穴に係合しないからフイルム誤装填を防止できる。レンズ付きフイルムユニット２の使用後に一般に市販されているフイルムカートリッジを再装填しようとしても、係合軸２８がスプールに係合できないからフイルム詰替を防止することができる。【選択図】　　　　図３
2004138721.tif 000002
【特許請求の範囲】
【請求項１】
製造時に未露光の写真フイルムをロール状にしてフイルムロール室に収納するとともに写真フイルムの端部を係止したスプールが内蔵されたカートリッジ本体をカートリッジ室に収納し、前記スプールに係合軸が係合した巻上げノブを１コマ撮影する毎に回転させることによりスプールを回転させて露光済みの写真フイルムをカートリッジ本体内に１コマ分ずつ巻き取ってゆくレンズ付きフイルムユニットの製造方法において、
前記写真フイルムの種類に応じて、前記係合軸とスプールとの係合形状を変更して製造することを特徴とするレンズ付きフイルムユニットの製造方法。
【請求項２】
前記カートリッジ室の上部と巻上げノブとの係合形状を写真フイルムの種類に応じて変更して製造することを特徴とする請求項１記載のレンズ付きフイルムユニットの製造方法。
【請求項３】
前記写真フイルムの種類の相違は、フイルム感度の相違であることを特徴とする請求項１または２記載のレンズ付きフイルムユニットの製造方法。
【発明の詳細な説明】
【０００１】
【発明の属する技術分野】
本発明は、レンズ付きフイルムユニットの製造方法に関し、更に詳しくは写真フイルムの誤装填及び詰替を防止するレンズ付きフイルムユニットの製造方法に関するものである。
【０００２】
【従来の技術】
写真フイルムが予め装填され、簡単な撮影機構が組み込まれたレンズ付きフイルムユニットが本出願人より製造販売されている。このようなレンズ付きフイルムユニットは、品質保持のため、ユーザ等が再使用できないように工夫してある。例えば、特許文献１に記載されたレンズ付きフイルムユニットは、スプールの係合穴にキー溝を除く内周面に溝を形成するとともに、巻上げノブの係合軸のキーを除く外周面にスプールの溝に係合する突条を形成してある。これにより、一般に市販されているフイルムカートリッジを装填しようとしても巻上げノブの係合軸がスプールの係合穴に挿入できないため、フイルムの詰替を行うことができない。
【０００３】
【特許文献１】
特開平１１−１８４００２号公報
【０００４】
【発明が解決しようとする課題】
しかしながら、上記特許文献１記載のレンズ付きフイルムユニットでは、巻上げノブの係合軸に対して、キーを残して外周面に形成した突条を削り落とすという比較的容易な加工を施すことにより、一般に市販されているフイルムカートリッジのスプールの係合穴に係合させることができる。このため、フイルム詰替の抑止手段としては不完全である。
【０００５】
一方、レンズ付きフイルムユニットに装填される写真フイルムは、レンズ付きフイルムユニットの機種に応じて複数の種類が用いられる。写真フイルムは、ネガフイルムでも白黒，セピア，カラーの別があり、またフイルム感度によっても数種類あるにも関わらず、カートリッジ本体の外周面に貼着されたラベルを除いてフイルムカートリッジの外観は全く同じで区別がつかない。しかも、レンズ付きフイルムユニットにフイルム装填を行う場所は当然のことながら暗室であり、この暗室内にフイルムカートリッジを搬入する際にフイルムカートリッジの種類を間違えた場合には、フイルム誤装填が発生する。
【０００６】
本発明は、上記問題点を解決するためのもので、写真フイルムの誤装填及び詰替を防止できるレンズ付きフイルムユニットの製造方法を提供することを目的とする。
【０００７】
【課題を解決するための手段】
上記問題点を解決するために、本発明のレンズ付きフイルムユニットの製造方法は、製造時に未露光の写真フイルムをロール状にしてフイルムロール室に収納するとともに写真フイルムの端部を係止したスプールが内蔵されたカートリッジ本体をカートリッジ室に収納し、前記スプールに係合軸が係合した巻上げノブを１コマ撮影する毎に回転させることによりスプールを回転させて露光済みの写真フイルムをカートリッジ本体内に１コマ分ずつ巻き取ってゆくレンズ付きフイルムユニットの製造方法において、前記写真フイルムの種類に応じて、前記係合軸とスプールとの係合形状を変更して製造するものである。また、更に、前記カートリッジ室の上部と巻上げノブとの係合形状を写真フイルムの種類に応じて変更して製造するものである。また、前記写真フイルムの種類の相違は、フイルム感度の相違としたものである。
【０００８】
【発明の実施の形態】
図１において、本発明を実施したレンズ付きフイルムユニット２は、予めフイルムカートリッジが装填され各種撮影機構が組み込まれたユニット本体３と、このユニット本体３を部分的に覆うラベル４とから構成されている。ユニット本体３の上面には、シャッタボタン６，残り撮影可能枚数を表示するカウンタ窓７が、前面にはファインダ８，撮影レンズ９等が設けられている。また、背面側からは１コマの撮影毎に回転操作される巻上げノブ１０が露呈されている。
【０００９】
ラベル４は、ユニット本体３の中央部分に巻かれるように貼付され、撮影レンズ９やファインダ８，カウンタ窓６等を外部に露呈させる開口が形成されている。また、ラベル４にはレンズ付きフイルムユニット２の使用方法や、特徴に関する説明が記されている。
【００１０】
図２に示すように、ユニット本体３は、写真フイルム１２とカートリッジ本体１３とからなるレンズ付きフイルムユニット専用のフイルムカートリッジ１４が装填される本体部１５と、この本体部１５の前面に組み付けられる露光ユニット１６と、本体部１５の前面側及び背面側を覆うように組み付けられる前カバー１７及び後カバー１８とから構成されており、これらは爪係合によって組み立てられる。
【００１１】
本体部１５の前面側中央部には、撮影レンズ９から写真フイルム１２までの間の撮影光路を遮光する遮光筒２０が設けられている。この遮光筒２０の前面側には露光開口２０ａが形成されており、背面側には写真フイルム１２への露光範囲を規定するアパーチャーが形成されている。遮光筒２０を挟む両側には、カートリッジ本体１３とロール状に巻かれた写真フイルム１２とが製造段階でそれぞれ収納されるカートリッジ室２１とフイルムロール室２２とが一体に形成されている。また、カートリッジ室２１の上面には、巻上げノブ１０が回転自在に組み付けられている。
【００１２】
露光ユニット１６は、ブロック状のベース部材２４に、撮影レンズ９，シャッタ機構，フイルム巻止め機構，フイルムカウンタ機構，ファインダ光学系等が一体に組み込まれて構成されている。この露光ユニット１６は、本体部１５の遮光筒２０の前面に爪係合によって取り付けられる。
【００１３】
後カバー１８の本体部１５のアパーチャーに対面する位置には、写真フイルム１２の背面を支持するフイルム支持面１８ａが形成されている。また、後カバー１８の下方には、カートリッジ室２１用の底蓋２６と、フイルムロール室２２用の底蓋２７とが設けられている。底蓋２６は使用後のレンズ付きフイルムユニット２からフイルムカートリッジ１４を取り出す際に開放される。
【００１４】
図３に示すように、巻上げノブ１０の下面には、これと一体に円柱形状の係合軸２８が形成されている。この係合軸２８は、ユニット本体３に装填される写真フイルム１２の種類，例えばフイルム感度に応じて決められた特定の形状をしている。本実施形態では、写真フイルム１２のフイルム感度がＩＳＯ１００であり、これに対応して係合軸２８の軸の太さは、アドバンストフォトシステムに準拠した例えばＩＸ２４０カートリッジに収納された一般のスプールの係合軸に比べて細く、かつ一般のスプールに形成されているキーが形成されておらず、ギア状の係合歯２８ａが形成されている。なお、係合軸２８の先端部は、後述するスプールの係合穴への挿入が容易となるように、傘状に尖った形状をしている。
【００１５】
カートリッジ室２１の上部には、係合軸２８を回転自在にガイドする筒状の突起部２１ａが形成されている。カートリッジ室２１に収納されるフイルムカートリッジ１４のカートリッジ本体１３は、プラスチックで成形されて組み合わされるほぼ半円柱形状の第１ケース２９及び第２ケース３０と、これらの内部に回転自在に収納されるスプール３１と、写真フイルム１２が出入りするフイルム出入り口（図示せず）を開閉する遮光蓋３２とから構成されている。
【００１６】
スプール３１は、写真フイルム１２の一端を係止するとともに外周に巻き付ける軸部（図示せず）を有し、この軸部の両端が第１ケース２９と第２ケース３０との端面から外部に露呈されている。このフイルムカートリッジ１４は、未使用時及び不使用時には、写真フイルム１２を全てカートリッジ本体１３内に収納しておき、スプール３１の回転によってフイルム出入り口から写真フイルム１２を送り出す。
【００１７】
スプール３１の端部には、前記係合軸２８が挿入される係合穴３３が形成されている。この係合穴３３には、係合歯２８ａに係合して係合軸２８の回転をスプール３１に伝達する歯列３３ａが形成されている。係合穴３３は、一般に市販されているＩＸ２４０カートリッジ等のスプールの穴より小さいとともに、ＩＸ２４０カートリッジ等のスプールに形成されているキー溝が形成されていないから、フイルムカートリッジ１４は一般のカメラに使用できず、レンズ付きフイルムユニット２専用になっている。
【００１８】
このように構成されたレンズ付きフイルムユニット２を組み立てるには、まず本体部１５の前部に露光ユニット１６を係止し、この本体部１５を暗室内に搬送する。暗室では、フイルムカートリッジ１４のカートリッジ本体１３から写真フイルム１２がロール状に引き出され、このフイルムロールはフイルムロール室２２に、またカートリッジ本体１３はカートリッジ室２１に収納される。
【００１９】
この時、巻上げノブ１０の係合軸２８がスプール３１の係合穴３３に挿入され、係合歯２８ａが歯列３３ａに係合する。ここで、フイルム感度がＩＳＯ１００以外のフイルムカートリッジのカートリッジ本体をカートリッジ室２１に収納しようとしても、そのようなカートリッジ本体のスプールには係合軸２８が係合できないから、そのまま製造工程が継続できずに製造ラインがストップする。したがって、フイルム誤装填が防止される。
【００２０】
本体部１５へのフイルム装填が済んだ後、続いて後カバー１８が本体部１５の背面側に被せられ、底蓋２６，２７が回動されてカートリッジ室２１及びフイルムロール室２２が光密に閉じられる。この後、前カバー１７が本体部１５の前側に係止されてユニット本体３が完成される。
【００２１】
完成したユニット本体３は明室に搬送され、巻上げノブ１０の動作やシャッタ機構の動作等について種々の検査が行われる。この時、巻上げノブ１０が空転する等の異常があれば、フイルム誤装填の疑いがあるとして別工程にて再検査される。検査に合格したユニット本体３の中央部分には、ラベル４が貼り付けられ、レンズ付きフイルムユニット２が完成される。
【００２２】
レンズ付きフイルムユニット２の使用後に、一般に市販されているＩＸ２４０カートリッジ等のフイルムカートリッジを再装填しようとしても、そのようなフイルムカートリッジのスプールに適合する係合軸よりも係合軸２８は細く、かつキーが形成されていないため係合できず、巻上げノブ１０が空転する。したがって、ユーザ等によるフイルム詰替を効果的に防止することができる。
【００２３】
なお、係合軸２８を太くして、かつキーを付加する加工、例えばキーを有するキャップのような部品を作成して係合軸２８に被せるか、あるいは一般に市販されているフイルムカートリッジのスプールに適合する巻上げノブそのものを作成して巻上げノブ１０と交換すれば、写真フイルムの詰替は不可能ではないが、いずれもきわめて困難であり、コスト高になって採算に合わないから、フイルム詰替を抑止できる。
【００２４】
また、巻上げノブ１０の係合軸２８の形状に合わせてスプール３１を加工、又は新たにスプールそのものを作成し、一般に市販されているフイルムカートリッジのスプールと交換することも考えられるが、やはり採算に合わず、実質的にフイルム詰替を防止できる。
【００２５】
フイルム感度がＩＳＯ２００のフイルムカートリッジ４０を装填する別の種類のレンズ付きフイルムユニットでは、図４に示すように、巻上げノブ４１の係合軸４２は、その先端部に一対の細い棒状突起４２ａ，４２ｂが形成されている。そして、これに対応してフイルムカートリッジ４０のスプール４４の端部には、棒状突起４２ａ，４２ｂが挿入される一対の係合穴４４ａ，４４ｂが形成されている。
【００２６】
前記係合軸４２の棒状突起４２ａ，４２ｂは折れやすく、再使用が困難であるとともに、係合軸４２を加工しても一般の係合軸は作成できない。また、スプール４４を加工してキー溝付きの係合穴を作成することもきわめて困難である。したがって、有効にフイルム詰替を防止できる。
【００２７】
フイルム感度がＩＳＯ４００のフイルムカートリッジ５０を装填する別の種類のレンズ付きフイルムユニットでは、図５に示すように、巻上げノブ５１の係合軸５２は、軸方向に長く断面が矩形状をした突条５２ａが周面に一定ピッチで形成されている。そして、係合軸５２に対応してフイルムカートリッジ５０のスプール５５の端部には係合穴５６が形成され、この周面に突条５２ａに対応した溝５６ａが一定ピッチで形成されている。
【００２８】
前記係合軸５２は、最大の太さでも一般に市販されているフイルムカートリッジのスプールに係合する太さと同じであり、キーを作成するために１個の突条５２ａを残して他の突条５２ａを削り落とす加工を行っても、全体の太さが細くなって一般のスプールに係合させることができない。したがって、有効にフイルム詰替を防止できる。
【００２９】
フイルム感度がＩＳＯ８００のフイルムカートリッジ６０を装填する別の種類のレンズ付きフイルムユニットでは、図６に示すように、フイルムカートリッジ６０のスプール６１の端部には歯６２ａが一定ピッチで形成されたギア状の突起６２が形成されている。また、突起６２の先端部は、傘歯ギア状に窄まっている。そして、突起６２に対応して、巻上げノブ６５の係合軸６６は円筒形状をしており、突起６２が挿入される係合穴６７には、歯６２ａが係合される溝６７ａが一定ピッチで形成されている。
【００３０】
前記係合軸６６は、中空であってこれより細くする加工は不可能であり、キーを付加する加工も強度の面で実質に不可能であるから、有効にフイルム詰替を防止できる。
【００３１】
このようにフイルム感度に応じてスプールの係合穴の形状が異なる専用のフイルムカートリッジを用いるとともに、各係合穴のみに適合する係合軸を有する専用の巻上げノブを用いている。これにより、例えばＩＳＯ１００用のレンズ付きフイルムユニット２にＩＳＯ２００のフイルムカートリッジ４０を装填しようとしても、小さい２個の係合穴４４ａ，４４ｂに巻上げノブ１０の係合軸２８は挿入できないから、カートリッジ室２１にフイルムカートリッジ４０のカートリッジ本体を収納することができない。他の組合せも同様であり、互いの組合せが間違った場合には、巻上げノブをスプールに係合させることができず、製造ラインがストップするから、フイルム誤装填を確実に防止できる。
【００３２】
次に、別の実施形態を示す図７において、巻上げノブ７０の係合軸７１及びスプール７５の係合穴７６の形状そのものは上記実施形態と同じであるが、フイルム感度に応じてサイズや長さを変更したものである。すなわち、係合軸７１は、前記係合軸２８より長く、かつ太く（一般に市販されているフイルムカートリッジのスプールの係合穴の径よりはやや細い）形成されている。また、係合穴７６は、前記係合穴３３より深く、かつ径を大きく形成してある。なお、フイルム感度に応じて、上記実施形態より係合軸を短く、係合穴を浅くしてもよい。
【００３３】
前記係合軸７１は、キーを形成しておらず、これを加工しようとして削った場合には、軸の径が細くなり過ぎて一般に市販されているフイルムカートリッジのスプールの係合穴と係合できない。したがって、有効にフイルム詰替を防止できる。また、逆に係合軸を上記実施形態より短くした場合にも、加工によって一般に市販されているフイルムカートリッジのスプールの係合穴と適合させることはできない。
【００３４】
次に、別の実施形態を示す図８において、例えばＩＳＯ４００のフイルムカートリッジ７７を装填するカートリッジ室７８の上部には、上記実施形態における突起部２１ａと同様に、巻上げノブ７９の係合軸７９ａを回転自在にガイドする筒状の突起部７８ａが形成されている。そして、突起部７８ａの孔と係合軸７９ａとの隙間からカートリッジ室７８の中に外光が侵入しないように、突起部７８ａの外周面に沿うように巻上げノブ７９の下面に突条７９ｂが形成されている（Ａ）。
【００３５】
カートリッジ室の突起部と巻上げノブの突条との係合形状は、カートリッジ室に装填されるフイルムカートリッジのフイルム感度に応じて決められており、例えばＩＳＯ８００のフイルムカートリッジ８０を装填するカートリッジ室８１の上部に形成されている突起部８１ａは、厚みが突起部７８ａより厚くしてあり、これに対応して、巻上げノブ８２の突条８２ａの径を突条７９ｂより大きくしてある（Ｂ）。
【００３６】
これにより、例えばフイルム詰替業者がＩＳＯ８００用のユニット本体を流用してそのカートリッジ室８１にＩＳＯ４００のフイルムカートリッジ７７を挿入し、フイルムカートリッジ７７のスプール７７ａと適合する巻上げノブ７９の係合軸７９ａをスプール７７ａの穴に差し込もうとしても、途中で突条７９ｂが突起部８１ａに当接するため、巻上げノブ７９を所定の位置にセットすることができない。したがって、フイルム詰替防止に寄与できる。なお、フイルム感度に応じてカートリッジ室の突起部の厚みと巻上げノブの突条の径を変更する他、カートリッジ室の突起部を二重にして巻上げノブの突条を両側から挟む形状にしてこれらの係合形状を変更してもよく、また突起部と突条のそれぞれの高さを変更してもよい。
【００３７】
以上説明した実施形態における巻上げノブの係合軸の形状とフイルム感度との組合せは、上記実施形態に限定されないのは勿論であり、例えば巻上げノブ１０をＩＳＯ１００用としたが、例えばＩＳＯ４００用としてもよい。また、上記実施形態では、フイルム種類の相違の一例としてフイルム感度の相違を用いたが、本発明はこれに限定されることなく、写真フイルムの白黒，セピア，カラー等の相違に応じて巻上げノブの係合軸の形状を変更するようにしてもよい。
【００３８】
また、上記実施形態のいずれもスプールを除きアドバンストフォトシステムに準拠したフイルムカートリッジであったが、本発明はこれに限定されることなく、１３５タイプの写真フイルムパトローネ及びこれを装填するレンズ付きフイルムユニットに適用してもよい。
【００３９】
【発明の効果】
以上説明したように、本発明のレンズ付きフイルムユニットの製造方法によれば、写真フイルムの種類に応じてフイルムカートリッジのスプールと巻上げノブの係合軸との係合形状を変更して製造するので、間違った組合せではフイルム装填できず、フイルム誤装填を防止できる。また、使用済みのレンズ付きフイルムユニットに市販されている一般のフイルムカートリッジを装填しようとしても、そのようなフイルムカートリッジのスプールに巻上げノブの係合軸が係合しないから、フイルム詰替を防止できる。また、更にカートリッジ室の上部と巻上げノブとの係合形状を写真フイルムの種類に応じて変更して製造するので、例えば他の機種の巻上げノブを流用することができなくなり、フイルム詰替をより困難にすることができる。また、写真フイルムの種類の相違は、フイルム感度の相違をその一例として挙げることができる。
【図面の簡単な説明】
【図１】レンズ付きフイルムユニットの外観を示す斜視図である。
【図２】ユニット本体の構成を示す分解斜視図である。
【図３】ＩＳＯ１００用の巻上げノブの係合軸とフイルムカートリッジのスプールとの関係を示す説明図である。
【図４】ＩＳＯ２００用の係合軸とスプールの関係を示す説明図である。
【図５】ＩＳＯ４００用の係合軸とスプールの関係を示す説明図である。
【図６】ＩＳＯ８００用の係合軸とスプールの関係を示す説明図である。
【図７】フイルム感度に応じて係合軸の長さや太さを変更する別の実施形態を示す説明図である。
【図８】フイルム感度に応じてカートリッジ室の突起部と巻上げノブの突条との係合形状を変更する別の実施形態を示す説明図である。
【符号の説明】
２　レンズ付きフイルムユニット
１０，４１，５１，６５，７０，７９，８２　　巻上げノブ
１０ａ，７９ｂ，８２ａ　突条
１２　　写真フイルム
１３　　カートリッジ本体
１４，４０，５０，６０，７７，８０　　フイルムカートリッジ
２１，７８，８１　カートリッジ室
２１ａ，７８ａ，８１ａ　突起部
２８，４２，５２，６６，７１　係合軸
３１，４４，５５，６１，７５，７７ａ　　スプール
３３，４４ａ，４４ｂ，５６，６７，７６　　係合穴
【図１】
2004138721.tif 000003
【図２】
2004138721.tif 000004
【図３】
2004138721.tif 000005
【図４】
2004138721.tif 000006
【図５】
2004138721.tif 000007
【図６】
2004138721.tif 000008
【図７】
2004138721.tif 000009
【図８】
2004138721.tif 000010